(57)【要約】【課題】  カップ部を係合している胸囲ベルトで胸囲での特有のしめ付けと圧迫感を無くして、肩紐の張力作用で胸周りと背面をバランスよく被い、包囲した形成にする。【解決手段】  左右のカップ上辺とカップ係合部から肩紐の働きで一体化した形状により胸周りの長さ張力を前面側で自在に変更して締められる仕掛けとした構成。【選択図】図４
2015129363.tif 000002
【特許請求の範囲】
【請求項１】
胸カップ上辺にアジャスター付から吊っている左右の伸縮性肩紐は、背中中央で交差して肩紐の延長線上は、左右のカップ係合部脇の布地トンネル状の中を通り、前方のカップ下方の布地の中へと前方中央の留めホックで連結するように肩紐の先端は、ホック部で引掛け通した肩紐で、ホック部分の折返し時点で、二重になった肩紐は再びカップ下方の布の中を通り、脇部から一本道理の肩紐になり背中中央で反対側脇部からの肩紐と繋がれることで、肩から胸囲を回り、連結された一本通になる肩紐の構造。
【請求項２】
上記請求項１の一本通の肩紐は、胸囲を巡らすことでカップ係合部脇から背中領域へ張力となり背後から連動している肩紐が胸周りのカップ下方では二重にカップを支えホック掛けで締めて、前方の肩紐に付いているアジャスターの調整具で、胸周りの長さ張力を自在に調節できることを特徴としている。
【請求項３】
上記一本通りの肩紐は、カップの大きさで係合部が脇高になることに、おいて、背中脇部に接続具を設け、肩紐が肩から接続具に連結され分断される。また、同じ接続具に肩紐は付けかえられ左右の肩紐はクロスして、上記同様に脇の係合部から胸周りへと肩紐は連係している仕組み。
【発明の詳細な説明】
【技術分野】
【０００１】  本発明は、カップ部を有するに関し、特にブラジャーの伸縮性肩紐がカップ部を司る肩紐の縫製形状の作用で胸囲の長さを自在に変更可能として最適、好適に用いられるものである
【背景技術】
【０００２】  ブラジャーはバストを保護・固定する機能のため、胸囲を押さえた着用を備えている、従来、バストカップの大きさを造形して魅せるためカップと係合部分を胸囲ベルトで密着して張力を集結しホックで締めている、胸囲サイズはカップ下方を回る胸周りのアンダーバストサイズが基本となり、サイズ選びが重要である。胸囲サイズ選びは、５センチきざみとカップの大きさ容量は、胸周りの長さを計測によりサイズ表記で合わせるのである。【０００３】  しかし、ブラジャーの胸囲サイズを合せるため密着させる着用になり、胸周りにしめつけ感がでる胸囲ベルトは、肩紐と係止具で垂直に繋がれていて、肩から掛かる肩紐の張力と胸囲は係止具で分断されているので、肩の運動により肩紐は少しずつたわみがでて、肩紐のズレ落ちが生じるのである。
【発明の概要】
【発明が解決しようとする課題】
【０００４】  本発明は、背中でクロスした肩紐は、左右脇のカップ係合部で布地用の筒状トンネルの中を通り前方カップ下方の胸囲を肩紐は連係されている、その肩紐はクロス形状で肩でのズレ落ちは解決される。更に連動された肩紐は胸周り、カップ下方での二重成により胸囲を柔軟に締めている。【０００５】  上記のサイズ選びでは、サイズ表示とホック部材の調整長さの許容範囲は２，５センチ位であり、伸縮性により約５センチの伸びしろがある。又、繰り返し着用していると伸縮性の胸囲ベルトは伸びてきて、胸周りがずれたりして、ブラジャー着用としての機能が果せなくなる。これを回避しょうとすると縫着した胸囲ベルトは修復が難しく手間がかかる。
【課題を解決するための手段】
【０００６】  本発明は、左右のカップ上辺と離脱可能な接続具に連結された伸縮を有する広幅テープ材の肩紐はアジャスターの調整具を付けたため肩紐の長さは、折り返された半分の長さに折込まれた長さになり、左右の肩紐は肩から吊られ背中中央でクロスして脇係合部の布地へと通る。筒状布地トンネルを通る肩紐は、更にカップ下方の布地の中を通り、フロントホック部材に引掛け、折り返されて二重に連結され、カップ下方の胸周りへと通り、脇の係合部で二重から一本取りに成った肩紐は、背中中央で反対側の肩紐と繋がれ連動している。背中で繋がれている肩紐は左右対称になっているので、胸周りは、カップ上辺と接続している右肩紐から左肩紐は繋がれている状態になり連係している仕組みである【０００７】  前記の肩紐は、肩から背面に巡らされ胸周りと連動しているので前面の調整具で肩紐の長さ伸ばしたり、縮めたりの調節を可能とし胸周りのサイズを変えられる構造の衣類。
【図面の簡単な説明】
【０００８】
【図１】本発明の実施形に係るブラジャーを示す背面図（１）  係合部脇高形状のブラジャーを示す背面図（２）
【図２】図１に示すブラジャー前面図
【図３】図２の（Ａ）はフロントホックの拡大図  （Ｂ）はＡ−Ａ′の線の断面図
【図４】本発明のブラジャーを示す展開図（Ｃ）Ｂ−Ｂ′の線は肩紐と９ｂの断面図
【符号の説明】
【０００９】５    肩紐
６    カップａ，ｂ
７    調整具材（アジャスター）
８    補強材ボーン
９    フロントホックａ，ｂ
１０  係止部布
１１  伸縮性レース生地
１２  スペンサー用紐
１３  接続具材
１４  トンネル状布地
【図１】
2015129363.tif 000003
【図２】
2015129363.tif 000004
【図３】
2015129363.tif 000005
【図４】
2015129363.tif 000006
【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
カップ上辺に接続されているアジャスター付左右の伸縮性肩紐は、背中中央で交差して肩紐の延長線上は、左右のカップ係合部脇の筒状布地の中に入り、前方カップ下方の布地の中へと前方中央の留めホックで連結するように肩紐の先端は、ホック部材で引掛け通した肩紐で、フロントホック部分の折り返し時点で二重に成った肩紐であり、再びカップ下方の布の中を通り、後部脇から一本取りの肩紐になり、背中中央で反対側脇部からの肩紐と繋がれて、左右対称の肩紐が連動されることで、右カップの肩から胸囲へ背中領域を回り巡らし、左カップと連結された一本道になる仕組みの肩紐で、前方調整具による、胸周りの長さ張力を自在に調節できる衣類である。
【請求項２】
一本通の肩紐は、胸囲を巡らして、カップ係合部布地脇から背中領域へ張力となり背後から連動している肩紐が、胸周りをカップ下方では二重にカップ部を支えるように留めホック無しの場合、カップ下方の筒状布地中で肩紐が二重に周り、背面で肩紐はクロスされてカップ上辺に連結しているので、前面肩紐の調整具より、胸囲の長さ張力を肩紐で自在に調節できることを特徴としている。
【請求項３】
一本通理の肩紐はカップの大きさでカップ係合部が脇高になることにおいて、前方で調整具付きの肩紐は、背中脇部左右に接続具を設け、肩紐が肩から接続具に連結して、一旦分断されるが、また同じ接続具に肩紐は付け替えられて、一方の肩紐にアジャスターの調整具を付け、クロスすることで連係された肩紐は、請求項１と同様に胸囲の連動作用の仕様となり、またカップ下方からカップ係合脇部の筒状布地で肩紐の張力作用により、胸周りの長さを背後から調節できることを特徴としている。
【手続補正２】
【補正対象書類名】明細書
【補正対象項目名】全文
【補正方法】変更
【補正の内容】
【発明の詳細な説明】
【技術分野】
【０００１】      本発明は、カップ部を有する衣類に関し、特にブラジャーの伸縮性肩紐がカップ部を司る肩紐の縫製形状の作用により、胸囲の長さを自在に変更可能として最適、好適に用いられるものである。
【背景技術】
【０００２】      ブラジャーはバストを保護・固定する機能のため、胸囲を押さえた着用を備えている。従来、バストカップの大きさを造形して魅せるため、カップと係合部分を胸囲ベルトで密着して張力を集結し、ホックで締めている。胸囲サイズはカップ部下方を回る胸周りのアンダーサイズが基本となり、サイズ選びが重要である。胸囲サイズ選びは、５センチきざみとカップの大きさ容量は、胸周りの長さを計測によるサイズ表記で合わせて着用するのである。【０００３】      前記のサイズ選びでは、胸周りのサイズ表示は、かぎホック部材での長さ調整の許容範囲は２，５センチ位であり、伸縮性ベルトにより５センチの伸びしろであり、繰り返し、着用していると伸縮製胸囲ベルトは伸びてきて、胸周りがずれたりして、ブラジャー着用としての機能が果せなくなる。これを回避しょうとするとカップ部と縫着してある胸囲ベルトは修復が難しく手間がかかる。【０００４】      ブラジャーの胸囲サイズを合わせるため密着させる着用になり、胸周りにしめ付け感がある胸囲ベルトは肩紐と係止具で垂直に繋がれているので、肩から掛かる肩紐の張力と胸囲は係止具で分断される。この事で肩の上下運動により肩紐は少しずつたわみがでて、肩紐のズレ落ちが生じることが課題とされている。
【発明の概要】
【発明が解決しようとする課題】
【０００５】      本発明は、カップ部を有する衣類の肩紐は、背中背面でクロスし、左右脇のカップ係合部で筒状布地の中を通り、脇から前面カップ下方の胸囲から背後へと肩紐は連係している。その肩紐は背面でクロス状により、肩紐のズレ落ちは解決される。更に連動された肩紐は、胸周りから、カップ下方での二重成により胸囲を柔軟に締めている。
【課題を解決するための手段】
【０００６】    本発明は、左右カップ上辺と離脱可能な接続具に連結された伸縮性を有する広幅テープ材の肩紐はアジャスターの調整具を付けた為、肩紐の長さは半分に折り込まれた長さに成り、左右の肩紐は肩から吊られ背中中央でクロスして、脇係合部の筒状布地へと挿入される。肩紐は筒状布地の中をトンネルのように通り、更に脇部から前方へカップ下方の布地の中を通り、フロントホック部材に引掛け通され、折り返されて二重成の肩紐はホックと連結される。二重の肩紐はカップ下方の布地に戻るように胸周りへ通り、脇係合部の布地の中で二重から一本取りに成った肩紐は、背面中央で反対側の肩紐と繋がれ連動する。連結されている肩紐は左右対称になっているので、胸周りはカップ上辺と接続している右肩紐から左肩紐とは、繋がれている状態になり連係している仕組みのカップ部を有する衣類である。【０００７】    前記肩紐は、肩から背面に巡らされ胸周りと連動しているので、前面の調整具で肩紐の長さを伸ばしたり、縮めたりの調節を可能とし、胸周りのサイズを変えられるのである。肩紐が胸囲を一体化した連動作用で、ホック無しの場合でも、前方の肩紐調整具で胸囲の長さ張力を調節可能とする構造の衣類である。【０００８】    本発明は、体型によりカップの大きさが異なる場合、カップ係合部分が脇高にすることにおいて、後部肩紐の切り替えしで背面に接続具が付き、片方の肩紐にアジャスターを設置し、肩紐はクロス状にして脇係合部の筒状布地の中を通る。前記、同様の肩紐の連動作用で胸周りが、背面中央の調整具により、胸周りの長さ調節ができる構成のカップ部を有する衣類である。
【図面の簡単な説明】
【０００９】
【図１】（１）は、本発明の第１実施形態に係るブラジャーを示す後部背面図である。（２）は、本発明の第２実施形態に係るブラジャーを示す後部背面図である。
【図２】（Ａ）は、本発明の実施形態に係るブラジャーを示す前面表図である。（Ｂ）は、本発明の実施形態に係るホック無しブラジャーを示す前面図である。
【図３】（Ａ）は、［図２］（Ａ）に示す中央部フロントホック開口の拡大図である。（Ｂ）は、［図２］（Ａ）に示すＡ−Ａ｀の線で、カップ部の断面図である。（Ｃ）は、（Ａ）のフロントホックに示す線Ｂ−Ｂ｀の断面図である。
【図４】本発明の第１実施形態に係るブラジャーを示す展開図である。
【発明を実施するための形態】
【００１０】    ［図１］（１）では、本発明の第１実施形態に係るブラジャーを示す背面の左右の伸縮性広幅テープの肩紐５は、クロス状になり、両脇のカップ係合部で土台布１０に縫着してある筒状布地１４の中へ挿入されている。肩紐５が、中央のストレッチレース地１１に付けたスペンサー用ひも１２で押さえられるように、交差（クロス）され連動される。筒状布地１４に補強材８が縫着されているのは前方から回ってくる肩紐５の挿入口であるためである。その口から前方へ肩紐５が胸周りを二重成にしている。
【００１２】    ［図１］の（２）では、本発明の第２実施形態に係るブラジャーの背面を示す肩紐５でクロスされている部分が異なる。脇のカップ係合部布１０がカップの大きさで脇高になり、係合部（土台布）１０の面積が広くなる。土台布１０に接続具１３ａが縫着してあり、肩紐５の切り替えしと成っている。接続具１３ａに付け替えられ、一方の肩紐５に調整具７ａを付けて、クロス状にして筒状布地１４に肩紐５は入り前方へ周り二重性にする。
【００１３】    ［図２］では、本発明の実施形態に係るブラジャーを示す前面表図である。（Ａ）は、前中央フロントホック９の留め具で開閉して着脱する構成とする。カップ６の上辺の接続具１３（離脱可能）から調整具（アジャスター）７を付けた左右の肩紐５は背後へクロスされる。カップ６の下方に土台布１０に縫着している筒状布地１４から肩紐５が、中央のフロントホック９ａ，９ｂにより左右で折り返され二重に成り、カップ６部を支えている。
【００１４】    ［図２］の（Ｂ）は、前記のブラジャー仕様と異なる部分であるホック９無しの前面図を示す。カップ６、下方の筒状布地１４の中で肩紐５が二回通る二重製になっている。
【００１５】    ［図３］の（Ａ）は、前面のフロントホック９が開口状態を示し、左右のフロントホック９ａ，９ｂに、それぞれ左右の肩紐５が引掛けられて二重になり、筒状布地１４から出ている。その土台布１０と筒状布地１４にストッパーリング１５が着けられ、肩紐５がストッパーリング１５を潜らせ抜けないようにしている。
【００１６】    ［図３］の（Ｂ）は、［図２］の（Ａ）に記すＡ−Ａ｀の線は、カップ６から筒状布地１４に示す断面図である。筒状布地１４の中に肩紐５が二重になっていることを示す。（Ｃ）は、（Ａ）に示すＢ−Ｂ｀の線の断面図で、左右のフロントホック９の断面を表している。
【００１７】    ［図４］は、本発明の第１実施形態に係るブラジャーを示す展開図で、裏側の全体像である。肩紐５の構成は背面中央でクロス形状になり、両端のフロントホック９で折り返され、肩紐５は胸周りを二重成により、ソフトに締め付ける着用になる。そして、肩紐５の連動作用で、左右のカップ６に接続具１３により連結する。一本の肩紐５が連係した仕組みのカップ部を有する衣類である。
【符号の説明】
【００１８】５    肩紐
６    カップ
７    調整具材（アジャスター）    ７ａ  背面部調整具
８    補強材
９    フロントホック（留め具）    ９ａ，９ｂ  左と右のフロントホック
１０  カップ係合部（土台布）
１１  ストレッチレース地（伸縮性レース生地）
１２  スペンサー用ひも
１３  接続具材    １３ａ  背面の接続具
１４  筒状布地
１５  ストッパーリング（係止具リング）
【手続補正３】
【補正対象書類名】図面
【補正対象項目名】全図
【補正方法】変更
【補正の内容】
【図１】
2015129363.tif 000007
【図２】
2015129363.tif 000008
【図３】
2015129363.tif 000009
【図４】
2015129363.tif 000010
【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
カップ上辺に接続されている前方調整具付きの左右の伸縮性肩紐は、背中中央で交差して肩紐の延長線上は、左右のカップ係合部脇の筒状布地の中に入り、前方カップ下方の布地の中へと前方中央の留めホックで連結するように肩紐の先端は、ホック部材で引掛け通した肩紐で、ホック部分の折り返し時点で二重に成った肩紐は、再びカップ下方の布の中を通り、後部脇から一本取りの肩紐になり、背中中央で反対側脇部からの肩紐と繋がれて、左右対称の肩紐が連動されることで、右カップの肩から背中領域へと、胸囲を回り、左カップと連結された一本の肩紐で構成されていることを特徴とするカップ部を有する衣類。
【請求項２】
カップ上辺に接続され、前方で調整具付きの左右の伸縮性肩紐は、肩から背面に延びてカップ係合部脇の土台布に設けられた接続具に連結され、更に、この接続具から延びる肩紐は一方の肩紐に後方調整具を設け、肩紐は背中中央でもう一方の接続された肩紐と交差して、左右カップ係合部筒状布地の中に、それぞれ肩紐は挿入され、更に肩紐は左右対称に筒状布地の中を脇から前方へ通り、カップ下方の筒状布地から中央の留めホック部分に引掛けられ、折り返された二重の肩紐は、カップ下方の布地の中を通り、脇から背面で一本の肩紐となり、背中中央で反対側からの肩紐と繋がれていることを特徴とするカップ部を有する衣類。
【手続補正２】
【補正対象書類名】明細書
【補正対象項目名】０００６
【補正方法】変更
【補正の内容】
【０００６】  本発明は、左右カップ上辺と離脱可能な接続具に連結された伸縮性を有する広幅テープの肩紐は、前方調整具を付けたため、肩紐の長さは半分に折り込まれた長さに成り、左右の肩紐は肩から吊られ背中中央で交差して、脇カップ係合部の筒状布地へと挿入される。肩紐は筒状布地の中をトンネルのように通り、更に、脇部から前方へカップ下方の布地の中を通り、フロントホック部材に引掛け通され、折り返されて二重成の肩紐はホックと連結される。二重の肩紐はカップ下方の布地に戻るように胸周りへ通り、脇後部カップ係合部の布地の中で二重から一本取りに成った肩紐は、背面中央で反対側の肩紐と繋がれ連動する。一本の肩紐は左右対称になっているので、胸周りはカップ上辺と接続している右肩紐から左肩紐とは繋がれている状態になり、連係している仕組みのカップ部を有する衣類である。
【手続補正３】
【補正対象書類名】明細書
【補正対象項目名】０００７
【補正方法】変更
【補正の内容】
【０００７】  前記肩紐は、肩から背面に巡らされ胸周りと連動しているので、前面の調整具で肩紐の長さを伸ばしたり、縮めたりの調節を可能とし、胸周りのサイズを変えられるのである。肩紐が胸囲を一体化した連動作用で、胸周りを前方の肩紐調節具で胸囲の長さ張力を調節可能とするカップ部を有する衣類である
【手続補正４】
【補正対象書類名】明細書
【補正対象項目名】０００８
【補正方法】変更
【補正の内容】
【０００８】  本発明は、体型によりカップの大きさが異なる場合、カップ上辺に前方調整具付きの左右の肩紐は、カップ係合部の土台布に背面で接続され、接続具から片方の肩紐に後方調整具を設置し、肩紐は中央で交差して、それぞれ脇カップ係合部の筒状布地の中を通る。
それからの肩紐は、左右対称の連動作用で胸周りが、背面中央の調整具により、胸周りの長さ調節ができる構成のカップ部を有する衣類である。
【手続補正５】
【補正対象書類名】明細書
【補正対象項目名】０００９
【補正方法】変更
【補正の内容】
【０００９】
【図１】  （１）は、本発明の第１実施形態に係るブラジャーを示す後部背面図である。（２）は、本発明の第２実施形態に係るブラジャーを示す後部背面図である。
【図２】  （Ａ）は、本発明の実施形態に係るブラジャーを示す全面表図である。
【図３】  （Ａ）は、〔図２〕（Ａ）に示す中央部フロントホック解放の拡大図である。（Ｂ）は、〔図２〕（Ａ）に示すＡ−Ａ｀の線は、カップ部の断面図である。（Ｃ）は、（Ａ）のフロントホックに示すＢ−Ｂ｀は、断面図である。
【図４】  本発明の第１実施形態に係るブラジャーを示す展開図である。
【手続補正６】
【補正対象書類名】明細書
【補正対象項目名】００１０
【補正方法】変更
【補正の内容】
【００１０】〔図１〕（１）では、本発明の第１実施形態に係るブラジャーを示す背面の左右の伸縮性広幅テープの肩紐５は、クロス状になり、両脇のカップ係合部で土台布１０に併設する筒状布地１４の中へ挿入されている。肩紐５が、中央のストレッチレース地１１に付けた、サスペンダー用ひも１２で押さえられるように、交差（クロス）され連動される。筒状布地１４に補強材８が縫着されているのは前方から回ってくる肩紐５の挿入口であるためである。
その口から前方へ肩紐５が胸周りを二重成にしている。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】〔図３〕の（Ａ）は、前面のフロントホック９が解放した拡大図を示し、左右のフロントホック９ａ，９ｂに、それぞれ左右の肩紐５が引掛けられて二重になり、筒状布地１４からでている。その土台布１０と筒状布地１４にストッパーリング１５がつけられ、このストッパーリング１５によって、筒状布地１４の中へホック９が入り込むのを防止している。
【手続補正９】
【補正対象書類名】明細書
【補正対象項目名】００１８
【補正方法】変更
【補正の内容】
【００１８】５  肩紐
６  カップ
７  前方調整具  （アジャスター）    ７ａ背面部調整具
８  補強材
９  留めホック（フロントホック）    ９ａ、９ｂ  左と右のフロントホック
１０  カップ係合部（土台布）
１１  ストレッチレース地（伸縮性レース生地）
１２  サスペンダー用ひも
１３  接続具材    １３ａ背面の接続具
１４  筒状布地
１５  ストッパーリング（係止具リング）
【手続補正１０】
【補正対象書類名】図面
【補正対象項目名】図２
【補正方法】変更
【補正の内容】
【図２】
2015129363.tif 000011